【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
色評価に用いる色評価用カラーチャートデータの作成方法であって、
画像を表示画面に表示する表示工程と、
前記表示された画像における色評価用カラーチャートデータの作成に使用する範囲を設定する設定工程と、
前記設定された範囲の画像データから前記設定された範囲の画像の色の特徴を現わす色要素を算出する算出工程と、
前記算出された色要素の各成分の値を予め決められた方法でそれぞれ複数段階の値に分割し、分割した複数段階の値の各成分を組み合わせて色評価用カラーチャートデータを作成する作成工程と、
を有することを特徴とする色評価用カラーチャートデータの作成方法。
【請求項２】
前記表示された画像は、色評価の対象となる画像であることを特徴とする請求項１に記載の色評価用カラーチャートデータの作成方法。
【請求項３】
前記表示された画像は、色度図であることを特徴とする請求項１に記載の色評価用カラーチャートデータの作成方法。
【請求項４】
前記設定工程では、ポインティングデバイスを用いて前記表示された画像における色評価用カラーチャートデータの作成に使用する範囲を設定することを特徴とする請求項１に記載の色評価用カラーチャートデータの作成方法。
【請求項５】
前記算出工程は、
前記設定された範囲を予め決められた大きさの領域に分割する領域分割工程と、
前記分割された各領域に対して各領域を代表する色要素を選択する選択工程とを有することを特徴とする請求項１に記載の色評価用カラーチャートデータの作成方法。
【請求項６】
前記選択工程では、前記分割された各領域に含まれる中心のピクセルの色要素を各領域を代表する色要素とすることを特徴とする請求項５に記載の色評価用カラーチャートデータの作成方法。
【請求項７】
前記選択工程では、前記分割された各領域に含まれる全ピクセルの色要素の平均値を各領域を代表する色要素とすることを特徴とする請求項５に記載の色評価用カラーチャートデータの作成方法。
【請求項８】
前記算出された色要素の色空間上の色域が予め決められた色域よりも大きい場合に、色評価用カラーチャートデータの作成に適さないと判別して警報を発する警報工程を更に有することを特徴とする請求項１に記載の色評価用カラーチャートデータの作成方法。
【請求項９】
前記作成工程は、前記算出された色要素の各成分ごとに、各成分の平均値から最大値までの値を複数段階の値に分割し、かつ、各成分の平均値から最小値までの値を複数段階の値に分割する値分割工程を含むことを特徴とする請求項１に記載の色評価用カラーチャートデータの作成方法。
【請求項１０】
前記作成工程では、前記色評価用カラーチャートデータを色相に基づいた順番で並べることを特徴とする請求項１に記載の色評価用カラーチャートデータの作成方法。
【請求項１１】
前記作成工程は、前記作成した色評価用カラーチャートデータの値のうちで前記算出された色要素の値に最も近いデータを、前記算出された色要素の値に置き換える置換工程を有することを特徴とする請求項１に記載の色評価用カラーチャートデータの作成方法。
【請求項１２】
色評価に用いる色評価用カラーチャートデータを作成する情報処理装置であって、
画像を表示画面に表示する表示手段と、
前記表示された画像における色評価用カラーチャートデータの作成に使用する範囲を設定する設定手段と、
前記設定された範囲の画像データから前記設定された範囲の画像の色の特徴を現わす色要素を算出する算出手段と、
前記算出された色要素の各成分の値を予め決められた方法でそれぞれ複数段階の値に分割し、分割した複数段階の値の各成分を組み合わせて色評価用カラーチャートデータを作成する作成手段と、
を有することを特徴とする情報処理装置。
【請求項１３】
前記作成手段は、前記作成した色評価用カラーチャートデータの値のうちで前記算出された色要素の値に最も近いデータを、前記算出された色要素の値に置き換える置換手段を有することを特徴とする請求項１２に記載の情報処理装置。
【請求項１４】
色評価に用いる色評価用カラーチャートデータを作成する情報処理装置の制御プログラムであって、
画像を表示画面に表示する表示工程と、
前記表示された画像における色評価用カラーチャートデータの作成に使用する範囲を設定する設定工程と、
前記設定された範囲の画像データから前記設定された範囲の画像の色の特徴を現わす色要素を算出する算出工程と、
前記算出された色要素の各成分の値を予め決められた方法でそれぞれ複数段階の値に分割し、分割した複数段階の値の各成分を組み合わせて色評価用カラーチャートデータを作成する作成工程と、
をコンピュータに実行させるための制御プログラム。
【請求項１５】
前記作成工程は、前記作成した色評価用カラーチャートデータの値のうちで前記算出された色要素の値に最も近いデータを、前記算出された色要素の値に置き換える置換工程を有することを特徴とする請求項１４に記載の制御プログラム。
【請求項１６】
請求項１４又は１５に記載の制御プログラムを記憶したコンピュータ読み出し可能な記憶媒体。
【手続補正２】
【補正対象書類名】明細書
【補正対象項目名】０００７
【補正方法】変更
【補正の内容】
【０００７】
上記目的を達成するための本発明に係る色評価用カラーチャートの作成方法は、以下の構成を有する。すなわち、色評価に用いる色評価用カラーチャートデータの作成方法であって、画像を表示画面に表示する表示工程と、前記表示された画像における色評価用カラーチャートデータの作成に使用する範囲を設定する設定工程と、前記設定された範囲の画像データから前記設定された範囲の画像の色の特徴を現わす色要素を算出する算出工程と、前記算出された色要素の各成分の値を予め決められた方法でそれぞれ複数段階の値に分割し、分割した複数段階の値の各成分を組み合わせて色評価用カラーチャートデータを作成する作成工程と、
を有することを特徴とする。
【手続補正３】
【補正対象書類名】明細書
【補正対象項目名】０００８
【補正方法】変更
【補正の内容】
【０００８】
ここで、前記表示された画像は、、色評価の対象となる画像である。また、前記表示された画像は、色度図である。また、前記設定工程では、ポインティングデバイスを用いて前記表示された画像における色評価用カラーチャートデータの作成に使用する範囲を設定する。また、前記算出工程は、前記設定された範囲を予め決められた大きさの領域に分割する領域分割工程と、前記分割された各領域に対して各領域を代表する色要素を選択する選択工程とを有する。また、前記選択工程では、前記分割された各領域に含まれる中心のピクセルの色要素を各領域を代表する色要素とする。また、前記選択工程では、前記分割された各領域に含まれる全ピクセルの色要素の平均値を各領域を代表する色要素とする。また、前記算出された色要素の色空間上の色域が予め決められた色域よりも大きい場合に、色評価用カラーチャートデータの作成に適さないと判別して警報を発する警報工程を更に有する。また、前記作成工程は、前記算出された色要素の各成分ごとに、各成分の平均値から最大値までの値を複数段階の値に分割し、かつ、各成分の平均値から最小値までの値を複数段階の値に分割する値分割工程を含む。また、前記作成工程では、前記色評価用カラーチャートデータを色相に基づいた順番で並べる。また、前記作成工程は、前記作成した色評価用カラーチャートデータの値のうちで前記算出された色要素の値に最も近いデータを、前記算出された色要素の値に置き換える置換工程を有する。
【手続補正４】
【補正対象書類名】明細書
【補正対象項目名】０００９
【補正方法】変更
【補正の内容】
【０００９】
上記目的を達成するための本発明に係る情報処理装置は、以下の構成を有する。すなわち、色評価に用いる色評価用カラーチャートデータを作成する情報処理装置であって、画像を表示画面に表示する表示手段と、前記表示された画像における色評価用カラーチャートデータの作成に使用する範囲を設定する設定手段と、前記設定された範囲の画像データから前記設定された範囲の画像の色の特徴を現わす色要素を算出する算出手段と、前記算出された色要素の各成分の値を予め決められた方法でそれぞれ複数段階の値に分割し、分割した複数段階の値の各成分を組み合わせて色評価用カラーチャートデータを作成する作成手段と、を有することを特徴とする。ここで、前記作成手段は、前記作成した色評価用カラーチャートデータの値のうちで前記算出された色要素の値に最も近いデータを、前記算出された色要素の値に置き換える置換手段を有する。
【手続補正５】
【補正対象書類名】明細書
【補正対象項目名】００１０
【補正方法】変更
【補正の内容】
【００１０】
上記目的を達成するための本発明に係る制御プログラムは、以下の構成を有する。すなわち、色評価に用いる色評価用カラーチャートデータを作成する情報処理装置の制御プログラムであって、画像を表示画面に表示する表示工程と、前記表示された画像における色評価用カラーチャートデータの作成に使用する範囲を設定する設定工程と、前記設定された範囲の画像データから前記設定された範囲の画像の色の特徴を現わす色要素を算出する算出工程と、前記算出された色要素の各成分の値を予め決められた方法でそれぞれ複数段階の値に分割し、分割した複数段階の値の各成分を組み合わせて色評価用カラーチャートデータを作成する作成工程と、をコンピュータに実行させるための制御プログラムである。ここで、前記作成工程は、前記作成した色評価用カラーチャートデータの値のうちで前記算出された色要素の値に最も近いデータを、前記算出された色要素の値に置き換える置換工程を有する。